(57)【要約】      （修正有）【課題】接続対象となる相手側コネクタや基板との接続部分に固定部材の振動が与える負荷を抑えることができるコネクタを提供する。【解決手段】機器ケース５へのコネクタ１の装着時には、装着孔５１にフード部１２を挿入した後、被着部１１の装着溝にスナップリング４が外嵌されると、スナップリング４の後面が装着孔５１の周囲の機器ケース５の前面に当接し、装着溝を介して被着部１１を前方に付勢して、フード部１２の前面が機器ケース５の前面と前後位置を一致させるまでコネクタ１を前方に移動させる。これに伴い、弾性支持部材１４には機器ケース５の後面から押圧力を付与され、支持部を後方に撓ませる。機器ケース５に対する位置決めがなされたコネクタ１は、弾性支持部材１４により機器ケース５に対して前後方向に弾性支持されている。【選択図】図１
2010040436.tif 000002
【特許請求の範囲】
【請求項１】
固定部材が備える挿通孔に挿通される挿通部と、前記挿通孔を挟んだ前記固定部材の一面側に前記挿通部から延びて相手側コネクタを装着される被着部と、前記挿通部から延びて前記挿通孔を挟んだ前記固定部材の他面と当接して前記一面側への移動を規制されるストッパ部とを備え、
前記ストッパ部は、前記挿通部側に向けて突設する弾性支持部材を有し、
前記被着部に外嵌された係止部材と、前記弾性支持部材とで前記固定部材を挟み込んで前記弾性支持部材を撓ませ、前記ストッパ部の一部と前記他面との間に間隙を設けて前記固定部材に固定されることを特徴とするコネクタ。
【請求項２】
前記挿通部には、前記挿通部と前記挿通孔との間に介装されて前記固定部材と前記挿通部との間をシールするシール部材が外嵌されていることを特徴とする請求項１に記載のコネクタ。
【発明の詳細な説明】
【技術分野】
【０００１】
本発明は、固定部材の備える挿通孔に挿通部を挿通されて固定部材に固定されるコネクタに関する。
【背景技術】
【０００２】
この種のコネクタは、固定部材を挟んで外側に位置する相手側コネクタや、内側に位置する回路基板等との電気的接続を確実に行うために、固定部材に生じる振動の伝達を抑えることが望まれている。特に、回路基板に対して接続端子を半田付けされる場合には、振動の影響で半田クラックが生じる虞が大きく、振動の抑制が強く望まれている。
【０００３】
下記の特許文献１に開示された基板用コネクタは、コネクタ本体に保持された接続端子が、相手側コネクタの端子と接触する腕部と、腕部から屈曲部を介して延びて、回路基板に半田付けされる脚部とを備えている。このように、コネクタ本体と回路基板との間に位置する接続端子に屈曲部を設けることで、回路基板に対するコネクタ本体の位置ずれに応じて屈曲部を屈曲及び進展させ、接続端子と回路基板との接続部分にかかる負荷を抑えることができる。
【０００４】
【特許文献１】特開２００７−１０３１０６号公報
【発明の開示】
【発明が解決しようとする課題】
【０００５】
しかしながら、金属製の接続端子の屈曲及び進展で微細な振動を抑えるには、屈曲部を大きく湾曲させる必要があることから、その分ハウジングのサイズ大きくする必要があり、コネクタの大型化を招く虞があった。
【０００６】
本発明は斯かる課題に鑑みてなされたもので、上記課題を解決できるコネクタを提供することを目的とする。
【課題を解決するための手段】
【０００７】
このような目的を達成するために、本発明のコネクタは、固定部材が備える挿通孔に挿通される挿通部と、前記挿通孔を挟んだ前記固定部材の一面側に前記挿通部から延びて相手側コネクタを装着される被着部と、前記挿通部から延びて前記挿通孔を挟んだ前記固定部材の他面と当接して前記一面側への移動を規制されるストッパ部とを備え、前記ストッパ部は、前記挿通部側に向けて突設する弾性支持部材を有し、前記被着部に外嵌された係止部材と、前記弾性支持部材とで前記固定部材を挟み込んで前記弾性支持部材を撓ませ、前記ストッパ部の一部と前記他面との間に間隙を設けて前記固定部材に固定されることを特徴とする。
また、本発明は、前記挿通部には、前記挿通部と前記挿通孔との間に介装されて前記固定部材と前記挿通部との間をシールするシール部材が外嵌されていることを特徴とする。
【発明の効果】
【０００８】
本発明によれば、被着部に外嵌された係止部材とストッパ部に突設された弾性支持部材とで固定部材を挟み込み、弾性支持部材を撓ませてストッパ部と固定部材との間に間隙を設けることで、固定部材に対してコネクタを弾性支持し、接続対象となる相手側コネクタや基板との接続部分に固定部材の振動が与える負荷を抑えることができる。
【発明を実施するための最良の形態】
【０００９】
以下、図面を参照して、本発明の最良の形態を説明する。
図１は本実施形態のコネクタ１の機器ケース５への取付前の状態を示す前方からの斜視図である。図２はコネクタ１を部分的に拡大して示す縦断面図である。図３は機器ケース５へ取り付けられたコネクタ１を示す図であり、（ａ）は前方からの斜視図，（ｂ）は後方からの斜視図である。図４はコネクタ１に対するスナップリング４の装着前後での弾性支持部材１４の形状変化を説明する断面図であり、（ａ）はスナップリング４の装着前，（ｂ）はスナップリング４の装着後を示している。なお、以下の説明で用いる上下，前後，左右の各方向は説明に用いる各図に示している。この上下，前後，左右は説明のために記載したもので、実際の配置と異なってよいことはもちろんである。
【００１０】
図１に示すように、コネクタ１は、端子３を収容する端子キャビティを備えた略四角筒状の被着部１１と、被着部１１の後端から拡径して略四角筒状を呈して後方に延びたフード部１２と、フード部１２の後端部から上下及び左右の側方に向けて環状に延出したストッパ部１３とを備えている。被着部１１には、相手側コネクタのフード部が外嵌される。被着部１１の左右の両側面には、着脱される相手側コネクタをガイドする一対のガイド突条１１ｂが設けられている。ガイド突条１１ｂは、左右の側方に向けて突出して、前後方向に延びている。被着部１１の上下の両側面には、それぞれロック部１１ｃが設けられている。
【００１１】
図２に示すように、被着部１１の基端部には、被着部１１の周方向に沿って環状を呈して延びた装着溝１１ｄが設けられている。装着溝１１ｄの後面は、フード部１２の前面と連なって前後位置を同じにしている。装着溝１１ｄには、図１に示すように、スナップリング４が外嵌される。スナップリング４は、略コの字の平板状を呈した本体４１の３辺にそれぞれ内方に向けて突出した挿入片４２と、向かい合った上下の各辺部の左端に互いに向き合って突出した係止片４３とを備えている。スナップリング４は、開放端を備えた左側から装着溝１１ｄに外嵌され、挿入片４２及び係止片４３を被着部１１の装着溝１１ｄに進入させて被着部１１に対する位置決めをなされる。
【００１２】
図２に示すように、フード部１２の周面には、フード部１２の周方向に沿って環状を呈して延びた収容溝１２ａが設けられている。収容溝１２ａには、パッキン２が装着される。図１に示すように、ストッパ部１３の上下及び左右の各側面には、弾性支持部材１４が設けられている。ストッパ部１３の上下の側面に設けられた弾性支持部材１４は、その配設面の左右の幅方向の中央部に位置している。ストッパ部１３の左右の側面に設けられた弾性支持部材１４は、その配設面の上下の幅方向の中央部に位置している。
【００１３】
各弾性支持部材１４は、配設面からストッパ部１３の外方に向けて前方に屈曲して伸びた一対の支持部１４ａの先端間に当接部１４ｂを架け渡して、支持部１４ａ同士を連結した外観形状を有している。図２に示すように、当接部１４ｂの延出した支持部１４ａの先端部は、ストッパ部１３の前面よりも前方に位置している。
【００１４】
コネクタ１は、図１に矢印Ａで示すように、前側から機器ケース５の装着孔５１に被着部１１を挿入した後、装着孔５１から機器ケース５の前面側に突出した被着部１１の装着溝１１ｄに、矢印Ｂで示すようにスナップリング４を外嵌して機器ケース５に装着される。図３に示すように、機器ケース５に装着されたコネクタ１は、被着部１１の装着溝１１ｄに外嵌されたスナップリング４とストッパ部１３に設けられた弾性支持部材１４とで、装着孔５１の周縁に位置する機器ケース５を前後方向に挟み込んで、機器ケース５に対する位置決めをされている。機器ケース５に固定されたコネクタ１は、フード部１２から後方に延びた端子３を、機器ケース５に収納された回路基板に半田付けされる。
【００１５】
機器ケース５へのコネクタ１の装着時に、図４（ａ）に示すように、弾性支持部材１４の前端が機器ケース５の後面に当接するまで装着孔５１にフード部１２を挿入した状態では、フード部１２の前面は、機器ケース５の前面よりも後方に位置して装着孔５１内に配置されている。その後、図４（ｂ）に示すように、被着部１１の装着溝１１ｄにスナップリング４が外嵌されると、スナップリング４の後面が装着孔５１の周囲の機器ケース５の前面に当接し、装着溝１１ｄを介して被着部１１を前方に付勢して、フード部１２の前面が機器ケース５の前面と前後位置を一致させるまでコネクタ１を前方に移動させる。これに伴い、弾性支持部材１４には機器ケース５の後面から押圧力を付与され、支持部１４ａを後方に撓ませる。このようにして、機器ケース５に対するコネクタ１の位置決めがなされた状態で、コネクタ１は弾性支持部材１４により機器ケース５に対して前後方向に弾性支持されている。
【００１６】
コネクタ１に対して機器ケース５が前後方向に移動した場合、機器ケース５の後面から押圧力を付与された弾性支持部材１４が、支持部１４ａを後方に撓ませ、又は、支持部１４ａの撓みを解いて前方に復帰させ、機器ケース５の後面に対するストッパ部１３の前面の前後位置を変化させる。このため、機器ケース５の移動に伴いコネクタ１から端子３と回路基板等との接続部に加えられる荷重が軽減される。
【００１７】
上述したように、本実施形態によれば、被着部１１に外嵌されたスナップリング４とストッパ部１３から突設された弾性支持部材１４とで機器ケース５を挟み込み、弾性支持部材１４を撓ませてストッパ部１３と機器ケース５との間に間隙を設けることで、機器ケース５に対してコネクタ１を弾性支持し、接続対象となる相手側コネクタや回路基板との接続部分に機器ケース５の振動が与える負荷を抑えることができる。
【００１８】
上記実施形態では、ストッパ部１３の上下及び左右の各側面に弾性支持部材１４が１つずつ設けられている場合について説明した。しかしながら、ストッパ部１３の各側面に設けられている弾性支持部材１４の数量は任意であり、例えば、２つずつでもよい。
【００１９】
また、上記実施形態では、弾性支持部材１４が一対の支持部１４ａの先端間に当接部１４ｂを架け渡して構成されている場合について説明したが、弾性支持部材１４の形状は任意である。例えば、支持部１４ａのみを備える形状でも、また、１つの支持部１４ａの先端部から側方に当接部１４ｂが延出した形状としてもよい。また、上記実施形態では、係止部材をスナップリング４とした場合について説明したが、係止部材としては必ずしもスナップリング４を用いる必要はない。
【００２０】
上記実施形態では、
【図面の簡単な説明】
【００２１】
【図１】本発明の一実施形態のコネクタの機器ケースへの取付前の状態を示す前方からの斜視図である。
【図２】コネクタを部分的に拡大して示す縦断面図である。
【図３】機器ケースへ取り付けられたコネクタを示す図であり、（ａ）は前方からの斜視図，（ｂ）は後方からの斜視図である。
【図４】コネクタに対するスナップリングの装着前後での弾性支持部材の形状変化を説明する断面図であり、（ａ）はスナップリングの装着前，（ｂ）はスナップリングの装着後を示している。
【符号の説明】
【００２２】
１      コネクタ
１１    被着部
１１ｄ  装着溝
１２    フード部
１２ａ  収容溝
１３    ストッパ部
１４  弾性支持部材
１４ａ  支持部
１４ｂ  当接部
２  パッキン
４  スナップリング
【図１】
2010040436.tif 000003
【図２】
2010040436.tif 000004
【図４】
2010040436.tif 000005
【図３】
2010040436.tif 000006